(57)【要約】【課題】  ポリオレフィン系の配管を扁平状に押圧して止水し、そして配管を円筒状に復元した後であっても、配管が内圧・外圧に対して十分に耐久性を有するように補修する配管の補修方法を提供することを目的とする。【解決手段】  ポリエチレン樹脂製の流水用配管１に電気融着継手２を移動可能に外嵌し、配管１の一部を押圧して絞って配管１の内部３を止水する。かつ、配管１の絞り部４を円筒状に復元させる。そして、止水・復元作業前に外嵌しておいた継手２を、配管１の復元部５に移動して包囲させて復元部５に融着する。【選択図】  図６
2009041727.tif 000002
【特許請求の範囲】
【請求項１】
ポリエチレン樹脂製の流水用配管に電気融着継手を移動可能に外嵌し、配管の一部を押圧して絞って配管の内部を止水し、配管の絞り部を円筒状に復元させて、止水・復元作業前に外嵌しておいた上記継手を、配管の復元部に移動して包囲させて復元部に融着することを特徴とする配管の補修方法。
【発明の詳細な説明】
【技術分野】
【０００１】
本発明は、配管の補修方法に関する。
【背景技術】
【０００２】
従来より、上水道で用いるポリエチレン樹脂配管の端部に電気融着接続をする場合、電気融着部分に水分があると、融着界面温度が低下したり、あるいは、融着部の水分が蒸発して融着界面にボイドが発生するなどして適正な融着性能が得られなくなってしまう。
そこで、配管の仕切り弁よりも下流側に配管を接続する場合には、仕切り弁を閉めて施工するが、仕切り弁が錆びると止水性能が低下してしまい、水分が漏れてしまうような場合があるため、従来より、配管の一部をスクイズオフ装置で扁平状に押圧して、配管の途中を止水する作業が行われている（例えば、特許文献１参照）。
【０００３】
【特許文献１】特許第３５２０５０４号公報
【発明の開示】
【発明が解決しようとする課題】
【０００４】
上述の止水方法において、スクイズオフ装置によって押し潰された配管は、ポリエチレン樹脂管の場合、復元した後に白化現象が生じてしまい、水流から受ける内圧や、外部からの外圧に対する耐久性が低下し、長期性能が悪化して、将来的に漏れが発生することがある。
【０００５】
そこで、本発明は、ポリエチレン樹脂製の配管を扁平状に押圧して止水し、そして配管を円筒状に復元した後であっても、配管が内圧・外圧に対して十分に耐久性を有するように補修する配管の補修方法を提供することを目的とする。
【課題を解決するための手段】
【０００６】
本発明に係る配管の補修方法は、ポリエチレン樹脂製の流水用配管に電気融着継手を移動可能に外嵌し、配管の一部を押圧して絞って配管の内部を止水し、配管の絞り部を円筒状に復元させて、止水・復元作業前に外嵌しておいた上記継手を、配管の復元部に移動して包囲させて復元部に融着する方法である。
【発明の効果】
【０００７】
本発明によれば、配管を押し潰して止水した後に円筒状に復元する作業を行った場合に、配管が部分的に薄肉状になったり損傷する等の現象が起こり、また、白化現象が起こるが、この部分を継手によって補強できるので、外部からの衝撃に対して保護され、また、流水からの内圧に対しても十分に耐久性を備える。このように、非常に耐久性が向上して、長期間の使用において、漏水等の発生を防ぐことが出来る。
【発明を実施するための最良の形態】
【０００８】
以下、本発明の実施形態を図面に基づいて説明する。
図１〜図３は本発明に係る配管の補修方法の実施の一形態を示す。この発明は、高密度ポリエチレン樹脂製の配管１の一部を押圧して絞って配管１の内部３を止水し、配管１の絞り部４を円筒状乃至略円筒状に復元させた後で、配管１の復元部５を補強する方法である。
【０００９】
８は、配管１を押圧して絞って止水するためのスクイズオフ工具であり、一対の垂直状の支柱14，14と、支柱14，14の下部に固定された固定受けバー10と、油圧供給装置等の作動によって上下動可能として配管１を固定受けバー10と共挟みする押さえバー11とを有する。また、押さえバー11の両端には、手で回転させることで上下動する調整用スペーサ13が取り付けられており、スペーサ13が固定受けバー10に当接するときに、配管１が扁平状に潰れて止水するように調整できる。即ち、スペーサ13は、配管１の口径、肉厚に合わせてスクイズできるように調整するものである。また、スクイズオフ工具は、配管の方向に一対として取り付けられる配管把持具15を有し、配管１を上部から押さえることで、スクイズする際に配管１が転がるのを防いで、効率よく作業を行うためのものである。先ず、図１に示したように、接続作業を行う配管１に電気融着継手２を嵌め、継手２を移動自在としておく。即ち、この電気融着継手２は、一般的なソケットタイプと異なり、中央部内周面にはストッパーが無く、移動可能となっている。
配管１は高密度ポリエチレン樹脂製であり、例えば、密度0.94以上のポリエチレン管が用いられる。
【００１０】
そして、図２に示したように、スクイズオフ工具８において、スペーサ13を、配管１の口径、肉厚に合わせて調整する。そして、図示省略の油圧供給装置等からの作動力によって、押さえバー11を下方へ移動させ、配管１の止水予定部９（二点鎖線で囲んだ範囲）を押さえバー11と固定受けバー10とで挟む。配管１の端部７と止水予定部９との距離Ｔは、400〜600mm、好ましくは500mm程度離間させるのがよい。400mm未満であると、押圧の影響が端部７にも及んで端部７が楕円筒形状に変形してしまい、端部７への接合を適正に行えない。また、600mm超過であると、電気融着継手２を配管１に深く差し込む必要があるため、狭い場所では施工しにくくなる。
【００１１】
そして、押さえバー11によって配管１を押圧し続け、スペーサ13が下の固定受けバー10に当接するまで押圧すれば、配管１は、内面が封鎖されて圧着完了である。このとき、図１における止水予定部９に絞り部（止水部）４が形成されて、配管１の内部２は閉鎖状態となって止水される（図３，図４参照）。そして、配管１の絞り部４に対し下流側の端部７に、別の配管を電気融着による接続するが、絞り部４により端部７には水分が到達しないので、温度低下等がなく、効率よく融着を行うことができる。
【００１２】
そして、配管１の端部７に別の配管を接続する作業が完了すれば、図５に示したように、配管復元工具（矯正工具）６を用いて、絞り部４を円筒状乃至略円筒状に復元させる。図５は、矯正工具６により、絞り部４の復元途中の状態を示す。矯正工具６は、一対の半円弧状の押さえ部材12，13を有し、一対の押さえ部材12，13の受け面に絞り部４を挟み、一対の押さえ部材12，13をボルト・ナット結合によって接近させることで、絞り部４を円筒状に復元させるものである。図５の状態からさらに矯正を進め、配管１を円筒状に近づける。
【００１３】
そして、図６において、絞り部４が円筒状乃至略円筒状に復元した復元部５は、部分的に薄肉となったり強度が低下する等の（白化）現象が起こる。
次に、配管１の復元部５の外周面12に、継手２の両端部に相当する箇所に周方向のラインを引き、外周面12の一対のライン間の凸凹を切削工具で切削して滑らかな表面とする。そして、切削した部分をアセトン等で清掃し、その部分に、継手２を移動して（移動させにくい場合はハンマー等で軽く叩いて移動させ、）包囲させる。そして、継手２を電気融着により、復元部５に融着すれば、作業完了である。そして、復元部５は、継手２によって包囲されるため、外部からの衝撃等から保護され補強される。
【００１４】
ここで、押圧して絞った後、復元させただけの状態（継手２により包囲させていない状態）の配管１と、本発明のように継手２で包囲するものについて、80℃の流体を流し、内水圧1.1Mpaの負荷を掛ける熱間内圧クリープ試験を行った。前者の配管１は、約800時間で復元部分に破壊が発生した。一方、後者の配管１は、約2000時間経過する頃に継手２で補修した部分以外の破壊が生じたが、補修した部分の破壊は起こらなかった。この結果からも明らかなように、配管１の復元部５を継手２で補修することにより、非常に耐久性が向上した。
【００１５】
以上のように、本発明に係る配管の補修方法は、ポリエチレン樹脂製の流水用配管１に電気融着継手２を移動可能に外嵌し、配管１の一部を押圧して絞って配管１の内部３を止水し、配管１の絞り部４を円筒状に復元させて、止水・復元作業前に外嵌しておいた継手２を、配管１の復元部５に移動して包囲させて復元部５に融着する方法なので、配管１を止水した後で復元させた部分が継手２により補強され、外圧・内圧に対し耐久性が向上する。このように、配管１は長期間の使用に対して破壊せず、漏水等の心配がない。
【図面の簡単な説明】
【００１６】
【図１】本発明に係る配管の補修方法の実施の一形態を示す説明用側面図である。
【図２】スクイズオフ工具を用いて配管を押圧する状態を示す正面図である。
【図３】要部正面図である。
【図４】説明用側面図である。
【図５】配管を矯正工具により復元させる状態を示す正面図である。
【図６】説明用側面図である。
【符号の説明】
【００１７】
１  配管
２  継手
３  内部
４  絞り部
５  復元部
【図１】
2009041727.tif 000003
【図２】
2009041727.tif 000004
【図３】
2009041727.tif 000005
【図４】
2009041727.tif 000006
【図５】
2009041727.tif 000007
【図６】
2009041727.tif 000008